(57)【特許請求の範囲】
【請求項１】
上方に開口する隙間が柱の側面との間に形成された状態で該柱に直接又は間接的に取り付けられた受け部材と、
上方から前記隙間に差し込まれた差込部分と、前記差込部分の上側でコーナー外壁に固定された固定部分と、前記差込部分から上方へ延出され前記側面に対する面外方向へ前記固定部分を変位可能に前記固定部分と前記差込部分とを接続する接続部分と、を有する差込部材と、
を備え、
前記隙間は、上下方向に開口し、
前記差込部分の下端部は、前記隙間における下方の開口から前記受け部材の下側へ延出されている
コーナー外壁の固定構造。
【請求項２】
上方に開口する隙間が柱の側面との間に形成された状態で該柱に直接又は間接的に取り付けられた受け部材と、
上方から前記隙間に差し込まれた差込部分と、前記差込部分の上側でコーナー外壁に固定された固定部分と、前記差込部分から上方へ延出され前記側面に対する面外方向へ前記固定部分を変位可能に前記固定部分と前記差込部分とを接続する接続部分と、を有する差込部材と、
を備え、
前記接続部分は、前記差込部分から前記受け部材の上端よりも上方へ前記側面に沿って延出され、
所定値以上の前記面外方向への荷重が前記固定部分に入力されると、前記接続部分の上端部が下端部よりも前記側面から離れた位置に変位するように、前記差込部材が前記接続部分と前記差込部分との境界で曲がる
コーナー外壁の固定構造。
【請求項３】
前記差込部分は、前記側面に沿って側方へ前記隙間内で移動可能に該隙間に差し込まれている請求項１又は２に記載のコーナー外壁の固定構造。
【請求項４】
前記隙間の前記側方に沿った幅は、前記差込部分の前記側方に沿った幅の２倍以上である請求項３に記載のコーナー外壁の固定構造。
【請求項５】
前記受け部材は、前記差込部分における前記隙間の前記側方に沿った幅を超えた前記側方への移動を規制すると共に、前記固定部分における前記幅を超えた前記側方への移動を許容する請求項３又は４に記載のコーナー外壁の固定構造。
【請求項６】
前記受け部材の上端から前記差込部分の下端までの長さは、前記隙間の前記側方に沿った幅よりも長い請求項３〜５のいずれか１項に記載のコーナー外壁の固定構造。
【請求項７】
前記柱は、角柱とされ、
前記受け部材は、前記角柱の隣接する２つの側面のそれぞれとの間に前記隙間が形成された状態で該角柱に固定され、
前記差込部材は、２つで構成され、
前記差込部材のそれぞれは、前記差込部分が前記隙間のそれぞれに差し込まれている請求項１〜６のいずれか１項に記載のコーナー外壁の固定構造。
【発明の詳細な説明】
【技術分野】
【０００１】
本発明は、コーナー外壁の固定構造に関する。
【背景技術】
【０００２】
特許文献１には、コーナー外壁に固定されたＬ字状の金物を、角柱に固定された金具と角柱の側面との隙間に差し込んで、コーナー外壁を角柱に固定する構成が開示されている。
【先行技術文献】
【特許文献】
【０００３】
【特許文献１】特開平１１−２２０８１号公報
【発明の概要】
【発明が解決しようとする課題】
【０００４】
特許文献１の構成では、地震などにより角柱が、金具が固定された側面に対する面外方向に揺れると、この角柱の揺れに追従して、Ｌ字状の金物を介してコーナー外壁が変位する。コーナー外壁が角柱の揺れに追従して変位すると、コーナー外壁が変形するおそれがある。
【０００５】
本発明は、上記事実を考慮し、コーナー外壁が柱の揺れに追従して変形することを抑制することを目的とする。
【課題を解決するための手段】
【０００６】
本発明の第１態様は、上方に開口する隙間が柱の側面との間に形成された状態で該柱に直接又は間接的に取り付けられた受け部材と、上方から前記隙間に差し込まれた差込部分と、前記差込部分の上側でコーナー外壁に固定された固定部分と、前記差込部分から上方へ延出され前記側面に対する面外方向へ前記固定部分を変位可能に前記固定部分と前記差込部分とを接続する接続部分と、を有する差込部材と、を備える。
【０００７】
第１態様によれば、地震などにより柱が、柱の側面に対する面外方向に揺れると、差込部材の差込部分は、柱の揺れに追従して変位する。ここで、第１態様では、固定部分が柱の側面に対する面外方向へ変位可能であるため、柱の当該面外方向への揺れによって所定値以上の荷重が固定部分に入力されると、固定部分が当該面外方向へ変位する。固定部分が当該面外方向へ変位することで、固定部分は、柱の当該面外方向への揺れに追従しにくい。これにより、固定部分が固定されたコーナー外壁も、柱の揺れに追従しにくく、コーナー外壁の変形を抑制できる。
【０００８】
本発明の第２態様では、前記差込部分は、前記側面に沿って側方へ前記隙間内で移動可能に該隙間に差し込まれている。
【０００９】
第２態様の構成によれば、地震などにより柱が、柱の側面に沿った側方に揺れると、差込部材の差込部分が側面に沿って側方へ移動する。このように、柱の側面に沿った側方への揺れに対して、差込部分が側方へ相対移動するので、差込部材は柱の揺れに追従しにくい。これにより、差込部材の固定部分が固定されたコーナー外壁も、柱の揺れに追従しにくく、コーナー外壁の変形を抑制できる。
【００１０】
本発明の第３態様では、前記隙間の前記側方に沿った幅は、前記差込部分の前記側方に沿った幅の２倍以上である。
【００１１】
第３態様の構成によれば、差込部分は、自らの側方に沿った幅を超えて隙間内で移動できる。このため、地震などにより柱が、柱の側面に沿った側方に大きく揺れた場合でも、差込部材は柱の揺れに追従しにくい。これにより、差込部材の固定部分が固定されたコーナー外壁も、柱の揺れに追従しにくく、効果的にコーナー外壁の変形を抑制できる。
【００１２】
本発明の第４態様では、前記受け部材は、前記差込部分における前記隙間の前記側方に沿った幅を超えた前記側方への移動を規制すると共に、前記固定部分における前記幅を超えた前記側方への移動を許容する。
【００１３】
第４態様の構成によれば、固定部分が、隙間の側方に沿った幅を超えて移動できる。このため、地震などにより柱が、柱の側面に沿った側方に大きく揺れた場合でも、差込部材は柱の揺れに追従しにくい。これにより、差込部材の固定部分が固定されたコーナー外壁も、柱の揺れに追従しにくく、効果的にコーナー外壁の変形を抑制できる。
【００１４】
本発明の第５態様では、前記受け部材の上端から前記差込部分の下端までの長さは、前記隙間の前記側方に沿った幅よりも長い。
【００１５】
第５態様の構成によれば、差込部材が受け部材に対して傾くなどの相対移動をした場合でも、差込部分の下端部が受け部材に当たるなどして、差込部材が隙間から外れにくい。
【００１６】
本発明の第６態様では、前記隙間は、上下方向に開口し、前記差込部分の下端部は、前記隙間における下方の開口から前記受け部材の下側へ延出されている。
【００１７】
第６態様の構成によれば、差込部材が受け部材に対して傾くなどの相対移動をした場合でも、差込部分の下端部が受け部材に当たるなどして、差込部材が隙間から外れにくい。
【００１８】
本発明の第７態様では、前記柱は、角柱とされ、前記受け部材は、前記角柱の隣接する２つの側面のそれぞれとの間に前記隙間が形成された状態で該角柱に固定され、前記差込部材は、２つで構成され、前記差込部材のそれぞれは、前記差込部分が前記隙間のそれぞれに差し込まれている。
【００１９】
第７態様によれば、地震などにより角柱が、角柱の隣接する２つの側面に対する面外方向のいずれの方向に揺れた場合でも、コーナー外壁が柱の揺れに追従しにくい。これにより、効果的にコーナー外壁の変形を抑制できる。
【発明の効果】
【００２０】
本発明の構成によれば、コーナー外壁が柱の揺れに追従して変形することを抑制できる。
【図面の簡単な説明】
【００２１】
【図１】コーナー外壁及びその固定構造の外観を示す斜視図である。
【図２】コーナー外壁の下部における固定構造を示す斜視図である。
【図３】コーナー外壁の上部における固定構造を示す斜視図である。
【図４】コーナー外壁の上部における固定構造を示す平面図である。
【図５】コーナー外壁の上部における固定構造を示す側面図である。
【図６】差込金物の固定部分が側面に対する面外方向へ変位した状態を示す側面図である。
【図７】差込金物が受け金物に対して側方へ移動した状態を示す側面図である。
【図８】差込金物が受け金物に対して傾いた状態を示す側面図である。
【発明を実施するための形態】
【００２２】
以下に、本発明に係る実施形態の一例を図面に基づき説明する。
【００２３】
（コーナー外壁１００の固定構造１０）
図１に示されるように、コーナー外壁１００の固定構造１０は、コーナー外壁１００を角柱２００（柱の一例）に固定する固定構造である。以下、固定対象であるコーナー外壁１００の構成、コーナー外壁１００の下部を角柱２００に固定する固定構造、及び、コーナー外壁１００の上部を角柱２００に固定する固定構造について説明する。なお、下記の説明で用いるＸ方向、−Ｘ方向、Ｙ方向、−Ｙ方向、図中に示す矢印方向である。
【００２４】
（コーナー外壁１００）
コーナー外壁１００は、戸建などの建物３００のコーナー部分の外壁である。コーナー外壁１００は、角柱２００の隣接する２つの第１側面２１０及び第２側面２２０に沿って配置された平面視にてＬ字状に形成されている。コーナー外壁１００は、具体的には、第１側面２１０に対向する第１壁部１１０と、第２側面２２０に対向する第２壁部１２０と、を有している。
【００２５】
また、コーナー外壁１００の下面には、図２に示されるように、凹部１７０が形成されている。この凹部１７０は、下方に開口すると共に、第１壁部１１０部分で第１側面２１０側（Ｙ方向側）に開口すると共に、第２壁部１２０部分で第２側面２２０側（Ｘ方向側）に開口している。凹部１７０における奥側の奥面１７３（上面）には、第１壁部１１０部分及び第２壁部１２０部分において、ボルト１８１、１８２のそれぞれがねじ止めされるネジ孔１９１、１９２が形成されている。
【００２６】
コーナー外壁１００の上面には、図３に示されるように、凹部１６０が形成されている。この凹部１６０は、上方に開口すると共に、第１壁部１１０部分で第１側面２１０側（Ｙ方向側）に開口すると共に、第２壁部１２０部分で第２側面２２０側（Ｘ方向側）に開口している。凹部１６０の底面１６３には、第１壁部１１０部分及び第２壁部１２０部分において、ボルト１５１、１５２のそれぞれがねじ止めされるネジ孔１４１、１４２が形成されている。
【００２７】
（固定構造１０におけるコーナー外壁１００の下部の固定構造）
固定構造１０は、図２に示されるように、角柱２００の第１側面２１０及び第２側面２２０のそれぞれに固定された第１固定金物７１及び第２固定金物８２を有している。
【００２８】
第１固定金物７１は、第１側面２１０に沿った側方視（Ｘ方向視）にてＬ字状とされた板金で形成されている。具体的には、第１固定金物７１は、第１側面２１０に溶接などにより固定された柱側固定部分７３と、コーナー外壁１００の下部に固定された外壁側固定部分７５と、を有している。
【００２９】
柱側固定部分７３が、第１固定金物７１の側方視におけるＬ字の縦辺（一方の辺）を構成し、外壁側固定部分７５が、当該Ｌ字の横辺（他方の辺）を構成する。
【００３０】
外壁側固定部分７５には、ボルト１８１の軸部が通される通孔７５Ａが形成されている。外壁側固定部分７５は、通孔７５Ａに軸部が通されたボルト１８１が、コーナー外壁１００における凹部１７０の奥面１７３に形成されたネジ孔１９１にねじ込まれることでコーナー外壁１００に固定されている。
【００３１】
第２固定金物８２は、第２側面２２０に沿った側方視（Ｙ方向視）にてＬ字状とされた板金で形成されている。具体的には、第２固定金物８２は、第２側面２２０に溶接などにより固定された柱側固定部分８４と、コーナー外壁１００の下部に固定された外壁側固定部分８６と、を有している。
【００３２】
柱側固定部分８４が第２固定金物８２の側方視におけるＬ字の縦辺（一方の辺）を構成し、外壁側固定部分８６が当該Ｌ字の横辺（他方の辺）を構成する。
【００３３】
外壁側固定部分８６には、ボルト１８２の軸部が通される通孔８６Ａが形成されている。外壁側固定部分８６は、通孔８６Ａに軸部が通されたボルト１８２が、コーナー外壁１００における凹部１７０の奥面１７３に形成されたネジ孔１９２にねじ込まれることでコーナー外壁１００に固定されている。
【００３４】
以上のように、コーナー外壁１００の下部は、第１固定金物７１及び第２固定金物８２を介して、角柱２００に固定されている。これにより、コーナー外壁１００は、角柱２００に対する上下方向への移動が規制されている。なお、第１固定金物７１及び第２固定金物８２は、一体で構成されていてもよい。
【００３５】
（固定構造１０におけるコーナー外壁１００の上部の固定構造）
固定構造１０は、図３及び図４に示されるように、角柱２００の第１側面２１０及び第２側面２２０に沿って配置された平面視にて略Ｌ字状の受け金物２０（受け部材の一例）を有している。受け金物２０は、第１側面２１０に取り付けられる第１取付部分３１と、第２側面２２０に取り付けられる第２取付部分３２と、を有している。さらに、受け金物２０は、上下方向に開口する隙間Ｓ１が第１側面２１０との間に形成された第１形成部分２１と、上下方向に開口する隙間Ｓ２が第２側面２２０との間に形成された第２形成部分２２と、を有している。
【００３６】
第１取付部分３１及び第１形成部分２１は、第１側面２１０に対する面外方向（−Ｙ方向）に厚みを有する板状に形成されている。第１取付部分３１は、第１側面２１０におけるＸ方向側部分に溶接等により固定されている。なお、第１取付部分３１は、第１側面２１０におけるＸ方向側部分にねじ止めにより固定されていてもよい。また、第１形成部分２１は、第１取付部分３１に対する−Ｘ方向側であってかつ−Ｙ方向側で第１取付部分３１と一体に形成されており、第１形成部分２１と第１取付部分３１との連結部分には、段部２５が形成されている。
【００３７】
第２取付部分３２及び第２形成部分２２は、第２側面２２０に対する面外方向（−Ｘ方向）に厚みを有する板状に形成されている。第２取付部分３２は、第２側面２２０におけるＹ方向側部分に溶接等により固定されている。なお、第２取付部分３２は、第２側面２２０におけるＹ方向側部分にねじ止めにより固定されていてもよい。また、第２形成部分２２は、第２取付部分３２に対する−Ｙ方向側であってかつ−Ｘ方向側で第２取付部分３２と一体に形成されており、第２形成部分２２と第２取付部分３２との連結部分には、段部２６が形成されている。
【００３８】
第２形成部分２２の−Ｙ方向側の端部と、第１形成部分２１の−Ｘ方向側の端部とは、連結されており、第１取付部分３１、第１形成部分２１、第２取付部分３２及び第２形成部分２２は一体に形成されている。
【００３９】
このように、受け金物２０は、上下方向に開口する隙間Ｓ１、Ｓ２が角柱２００の第１側面２１０及び第２側面２２０のそれぞれとの間に形成された状態で角柱２００に固定されている。すなわち、受け金物２０は、角柱２００に対して直接、取り付けられている。なお、受け金物２０は、角柱２００に対して間接的に取り付けられていてもよい。具体的には、例えば、受け金物２０は、角柱２００に固定された梁や、角柱２００に固定された金物などを介して取り付けられていてもよい。
【００４０】
さらに、固定構造１０は、第１側面２１０及び第２側面２２０のそれぞれに配置された第１差込金物５１（差込部材の一例）及び第２差込金物６２（差込部材の一例）を有している。
【００４１】
第１差込金物５１は、第１側面２１０に沿った側方視（Ｘ方向視）にてＬ字状とされた板金で形成されている。具体的には、第１差込金物５１は、受け金物２０と第１側面２１０との隙間Ｓ１に差し込まれる差込部分５３と、コーナー外壁１００の上部に固定された固定部分５７と、固定部分５７と差込部分５３とを接続する接続部分５５と、を有している。
【００４２】
差込部分５３及び接続部分５５が、第１差込金物５１の側方視におけるＬ字の縦辺（一方の辺）を構成し、固定部分５７が、当該Ｌ字の横辺（他方の辺）を構成する。差込部分５３及び接続部分５５は、固定部分５７よりもＸ方向の幅が狭くされている。
【００４３】
固定部分５７には、ボルト１５１の軸部が通される通孔５７Ａが形成されている。固定部分５７は、通孔５７Ａに軸部が通されたボルト１５１が、コーナー外壁１００の上面における凹部１６０の底面１６３に形成されたネジ孔１４１にねじ込まれることで、差込部分５３の上側でコーナー外壁１００に固定される。
【００４４】
差込部分５３は、隙間Ｓ１に対して上方から差し込まれて、下端部が隙間Ｓ１の下方の開口から受け金物２０の下側へ延出されている。差込部分５３は、具体的には、第１側面２１０に沿って側方（−Ｘ方向）へ移動可能に隙間Ｓ１に差し込まれている。この隙間Ｓ１は、段部２５と受け金物２０の第２形成部分２２との間に形成されている。この隙間Ｓ１の−Ｘ方向に沿った幅Ｗ１は、差込部分５３の−Ｘ方向に沿った幅Ｗ２の２倍以上とされている。すなわち、差込部分５３に対する−Ｘ方向側には、差込部分５３の−Ｘ方向に沿った幅Ｗ２以上の移動代がある（図７参照）。
【００４５】
そして、本実施形態では、第１差込金物５１が−Ｘ方向に移動すると、差込部分５３が受け金物２０の第２形成部分２２に当たって、差込部分５３における−Ｘ方向への移動が規制される。一方、固定部分５７は、受け金物２０に当たらず、−Ｘ方向への移動が許容されている。このため、第１差込金物５１は、図８に示されるように、傾くようになっている。
【００４６】
さらに、隙間Ｓ１に差し込まれた差込部分５３の上下方向の長さ（受け金物２０の第１形成部分２１の上端から差込部分５３の下端までの長さ（Ｌ１））は、隙間Ｓ１の−Ｘ方向に沿った幅Ｗ１よりも長くなっている。
【００４７】
接続部分５５は、差込部分５３から上方へ延出されて、固定部分５７のＹ方向側の端部に接続されている。接続部分５５と固定部分５７との接続部分が、第１差込金物５１における屈曲部５９とされている。
【００４８】
このように、接続部分５５が差込部分５３から上方へ延出されることで、接続部分５５の上端部（屈曲部５９）及び固定部分５７が、第１側面２１０に対する面外方向（−Ｙ方向）へ変位するように、接続部分５５が変形可能となる（図６参照）。すなわち、接続部分５５は、第１側面２１０に対する面外方向（−Ｙ方向）へ固定部分５７を変位可能に固定部分５７と差込部分５３とを接続している。
【００４９】
第２差込金物６２は、角柱２００に対して配置された向きが異なる点を除いて、第１差込金物５１と同様の構成を有しており、以下のように、構成されている。すなわち、第２差込金物６２は、第２側面２２０に沿った側方視（Ｙ方向視）にてＬ字状とされた板金で形成されている。具体的には、第２差込金物６２は、受け金物２０と第２側面２２０との隙間Ｓ２に差し込まれる差込部分６４と、コーナー外壁１００の上部に固定された固定部分６８と、固定部分６８と差込部分６４とを接続する接続部分６６と、を有している。
【００５０】
差込部分６４及び接続部分６６が、第２差込金物６２の側方視におけるＬ字の縦辺（一方の辺）を構成し、固定部分６８が、当該Ｌ字の横辺（他方の辺）を構成する。差込部分６４及び接続部分６６は、固定部分６８よりもＹ方向の幅が狭くされている。
【００５１】
固定部分６８には、ボルト１５２の軸部が通される通孔６８Ａが形成されている。固定部分６８は、通孔６８Ａに軸部が通されたボルト１５２が、コーナー外壁１００の上面における凹部１６０の底面１６３に形成されたネジ孔１４２にねじ込まれることで、差込部分６４の上側でコーナー外壁１００に固定される。
【００５２】
差込部分６４は、隙間Ｓ２に対して上方から差し込まれて、下端部が隙間Ｓ２の下方の開口から受け金物２０の下側へ延出されている。差込部分６４は、具体的には、第２側面２２０に沿って側方（−Ｙ方向）へ移動可能に隙間Ｓ２に差し込まれている。この隙間Ｓ２は、段部２６と受け金物２０の第１形成部分２１との間に形成されている。この隙間Ｓ２の−Ｙ方向に沿った幅は、差込部分６４の−Ｙ方向に沿った幅の２倍以上とされている。すなわち、差込部分６４に対する−Ｙ方向側には、差込部分６４の−Ｙ方向に沿った幅以上の移動代がある。
【００５３】
そして、本実施形態では、第２差込金物６２が−Ｙ方向に移動すると、差込部分６４が受け金物２０の第１形成部分２１に当たって、差込部分６４における−Ｙ方向への移動が規制される。一方、固定部分６８は、受け金物２０に当たらず、−Ｙ方向への移動が許容されている。このため、第２差込金物６２は、傾くようになっている。
【００５４】
さらに、隙間Ｓ２に差し込まれた差込部分６４の上下方向の長さ（受け金物２０の第２形成部分２２の上端から差込部分６４の下端までの長さ）は、隙間Ｓ２の−Ｙ方向に沿った幅よりも長くなっている。
【００５５】
接続部分６６は、差込部分６４から上方へ延出されて、固定部分６８のＸ方向側の端部に接続されている。接続部分６６と固定部分６８との接続部分が、第２差込金物６２における屈曲部６９とされている。
【００５６】
このように、接続部分６６が差込部分６４から上方へ延出されることで、接続部分６６の上端部（屈曲部６９）及び固定部分６８が、第２側面２２０に対する面外方向（−Ｘ方向）へ変位するように、接続部分６６が変形可能となる（図６参照）。すなわち、接続部分６６は、第２側面２２０に対する面外方向（−Ｘ方向）へ固定部分６８を変位可能に固定部分６８と差込部分６４とを接続している。
【００５７】
なお、コーナー外壁１００の第１壁部１１０に対するＸ方向側に配置された外壁３５０は、角柱２００のＸ方向で固定された梁２５０に対して、−Ｘ方向及びＸ方向に移動可能に支持されている。また、コーナー外壁１００の第２壁部１２０に対するＹ方向側に配置された外壁３６０は、角柱２００のＹ方向で固定された梁２６０に対して、−Ｙ方向及びＹ方向に移動可能に支持されている。
【００５８】
（固定構造１０の作用）
固定構造１０によれば、例えば、地震などにより角柱２００が、角柱２００の第２側面２２０に対する面外方向（第１側面２１０に沿った方向（−Ｘ方向及びＸ方向））に揺れると、第２差込金物６２の差込部分６４は、角柱２００の揺れに追従して変位する。
【００５９】
ここで、本実施形態では、角柱２００が−Ｘ方向及びＸ方向に揺れて、所定値以上の荷重が固定部分６８（接続部分６６）に入力されると、図６に示されるように、第２差込金物６２の接続部分６６が変形して、差込部分６４に対して固定部分６８が−Ｘ方向へ変位する。
【００６０】
このため、差込部分６４が角柱２００の揺れに追従して変位しても、固定部分６８は、留まった状態となり、角柱２００の−Ｘ方向及びＸ方向への揺れに追従しにくい。
【００６１】
また、角柱２００が−Ｘ方向及びＸ方向へ揺れた場合には、第１差込金物５１は、図７に示されるように、第１側面２１０に沿って−Ｘ方向に移動する。
【００６２】
さらに、角柱２００の−Ｘ方向及びＸ方向への揺れによって、第１差込金物５１がさらに−Ｘ方向に移動すると、差込部分５３が受け金物２０の第２形成部分２２に当たって、差込部分５３における−Ｘ方向への移動が規制される。一方、固定部分５７は、受け金物２０に当たらず、−Ｘ方向への移動が許容されている。このため、図８に示されるように、第１差込金物５１は傾く。
【００６３】
このように、角柱２００の−Ｘ方向及びＸ方向への揺れに対して、第１差込金物５１が受け金物２０に対して−Ｘ方向へ相対移動するので、第１差込金物５１が留まった状態となり、角柱２００の−Ｘ方向及びＸ方向への揺れに追従しにくい。
【００６４】
なお、コーナー外壁１００に対するＸ方向側の外壁３５０は、梁２５０に対して−Ｘ方向及びＸ方向に移動可能に支持されているため、角柱２００と共に、梁２５０が−Ｘ方向及びＸ方向へ揺れても、外壁３５０は、当該揺れに追従しにくい。
【００６５】
以上により、第１差込金物５１及び第２差込金物６２が固定されたコーナー外壁１００が、角柱２００の−Ｘ方向及びＸ方向への揺れに追従しにくく、コーナー外壁１００の変形を抑制できる。
【００６６】
また、本実施形態では、例えば、地震などにより、角柱２００が第１側面２１０に対する面外方向（−Ｙ方向及びＹ方向）に揺れた場合においても、第１差込金物５１の接続部分５５が変形して、差込部分５３に対して固定部分５７が、−Ｙ方向に変位する。
【００６７】
このため、第１差込金物５１の固定部分５７は、留まった状態となり、角柱２００の−Ｙ方向及びＹ方向への揺れに追従しにくい。
【００６８】
また、角柱２００が−Ｙ方向及びＹ方向へ揺れた場合には、第２差込金物６２は、第２側面２２０に沿って−Ｙ方向に移動する。
【００６９】
さらに、角柱２００の−Ｙ方向及びＹ方向への揺れによって、第２差込金物６２が−Ｙ方向に移動すると、差込部分６４が受け金物２０の第１形成部分２１に当たって、差込部分６４における−Ｙ方向への移動が規制される。一方、固定部分６８は、受け金物２０に当たらず、−Ｙ方向への移動が許容されている。このため、第２差込金物６２は、傾く。
【００７０】
このように、角柱２００の−Ｙ方向及びＹ方向への揺れに対して、第２差込金物６２が受け金物２０に対して−Ｙ方向へ相対移動するので、第２差込金物６２が留まった状態となり、角柱２００の−Ｙ方向及びＹ方向への揺れに追従しにくい。
【００７１】
なお、コーナー外壁１００に対するＹ方向側の外壁３６０は、梁２６０に対して−Ｙ方向及びＹ方向に移動可能に支持されているため、角柱２００と共に、梁２６０が−Ｙ方向及びＹ方向へ揺れても、外壁３６０は、当該揺れに追従しにくい。
【００７２】
以上により、第１差込金物５１及び第２差込金物６２が固定されたコーナー外壁１００が、角柱２００の−Ｙ方向及びＹ方向への揺れに追従しにくく、コーナー外壁１００の変形を抑制できる。
【００７３】
このように、本実施形態では、地震などにより角柱２００が、角柱２００の隣接する第１側面２１０及び第２側面２２０に対する面外方向のいずれの方向に揺れた場合でも、コーナー外壁１００が角柱２００の揺れに追従しにくい。これにより、効果的にコーナー外壁１００の変形を抑制できる。
【００７４】
さらに、本実施形態では、隙間Ｓ１の−Ｘ方向に沿った幅Ｗ１は、第１差込金物５１の差込部分５３の−Ｘ方向に沿った幅Ｗ２の２倍以上とされている。また、隙間Ｓ２の−Ｙ方向に沿った幅は、第２差込金物６２の差込部分６４の−Ｙ方向に沿った幅の２倍以上とされている。
【００７５】
このため、第１差込金物５１及び第２差込金物６２は、それぞれ、差込部分５３及び差込部分６４の側方に沿った幅を超えて、隙間Ｓ１、Ｓ２内で移動できる。これにより、地震などにより角柱２００が、大きく揺れた場合でも、第１差込金物５１及び第２差込金物６２は角柱２００の揺れに追従しにくい。従って、第１差込金物５１及び第２差込金物６２が固定されたコーナー外壁１００が、角柱２００の揺れに追従しにくく、効果的に、コーナー外壁１００の変形を抑制できる。
【００７６】
さらに、本実施形態の構成によれば、第１差込金物５１及び第２差込金物６２が傾くことで、固定部分５７、６８が、隙間Ｓ１、Ｓ２の側方に沿った幅を超えて移動できる。これにより、地震などにより角柱２００が、大きく揺れた場合でも、第１差込金物５１及び第２差込金物６２は角柱２００の揺れに追従しにくい。従って、第１差込金物５１及び第２差込金物６２が固定されたコーナー外壁１００が、角柱２００の揺れに追従しにくく、効果的に、コーナー外壁１００の変形を抑制できる。
【００７７】
また、本実施形態の構成によれば、第１差込金物５１の差込部分５３は、下端部が隙間Ｓ１の下方の開口から受け金物２０の下側へ延出されている。また、第２差込金物６２の差込部分６４は、下端部が隙間Ｓ２の下方の開口から受け金物２０の下側へ延出されている。
【００７８】
このため、第１差込金物５１及び第２差込金物６２が、受け金物２０に対して傾くなどの相対移動をした場合でも、それぞれの下端部が受け金物２０に当たって、第１差込金物５１及び第２差込金物６２のそれぞれが隙間Ｓ１、Ｓ２から外れにくい。
【００７９】
また、本実施形態の構成によれば、第１差込金物５１の差込部分５３における上下方向の長さＬ１は、隙間Ｓ１の−Ｘ方向に沿った幅Ｗ１よりも長くなっている。また、第２差込金物６２の差込部分６４における上下方向の長さは、隙間Ｓ２の−Ｙ方向に沿った幅よりも長くなっている。
【００８０】
このため、第１差込金物５１及び第２差込金物６２が、受け金物２０に対して傾くなどして相対移動した場合でも、それぞれの下端部が受け金物２０に当たって、第１差込金物５１及び第２差込金物６２のそれぞれが隙間Ｓ１、Ｓ２から外れにくい。
【００８１】
（変形例）
本実施形態では、第１差込金物５１及び第２差込金物６２が、単一の受け金物２０に差し込まれていたが、これに限られない。例えば、第１側面２１０及び第２側面２２０のそれぞれに受け金物を固定して、各受け金物に第１差込金物５１及び第２差込金物６２を差し込む構成であってもよい。
【００８２】
また、本実施形態では、隙間Ｓ１の−Ｘ方向に沿った幅Ｗ１は、第１差込金物５１の差込部分５３の−Ｘ方向に沿った幅Ｗ２の２倍以上とされていたが、これに限られない。例えば、隙間Ｓ１の−Ｘ方向に沿った幅Ｗ１は、第１差込金物５１の差込部分５３の−Ｘ方向に沿った幅Ｗ２の２倍未満であってもよい。
【００８３】
また、本実施形態では、隙間Ｓ２の−Ｙ方向に沿った幅は、第２差込金物６２の差込部分６４の−Ｙ方向に沿った幅の２倍以上とされていたが、これに限られない。例えば、隙間Ｓ２の−Ｙ方向に沿った幅は、第２差込金物６２の差込部分６４の−Ｙ方向に沿った幅の２倍未満であってもよい。
【００８４】
また、本実施形態では、第１差込金物５１の差込部分５３は、下端部が隙間Ｓ１の下方の開口から受け金物２０の下側へ延出されていたが、これに限られず、当該下端部は隙間Ｓ１の下方の開口から下側へ延出されていなくてもよい。
【００８５】
また、本実施形態では、第２差込金物６２の差込部分６４は、下端部が隙間Ｓ２の下方の開口から受け金物２０の下側へ延出されていたが、これに限られず、下端部が隙間Ｓ２の下方の開口から受け金物２０の下側へ延出されていなくてもよい。
【００８６】
また、本実施形態では、第１差込金物５１の差込部分５３における上下方向の長さＬ１は、隙間Ｓ１の−Ｘ方向に沿った幅Ｗ１よりも長くなっていたが、これに限られない。例えば、第１差込金物５１の差込部分５３における上下方向の長さＬ１は、隙間Ｓ１の−Ｘ方向に沿った幅Ｗ１以下の長さであってもよい。
【００８７】
また、本実施形態では、第２差込金物６２の差込部分６４における上下方向の長さは、隙間Ｓ２の−Ｙ方向に沿った幅よりも長くなっていたが、これに限られない。例えば、第２差込金物６２の差込部分６４における上下方向の長さは、隙間Ｓ２の−Ｙ方向に沿った幅以下の長さであってもよい。
【００８８】
また、本実施形態では、固定構造１０は、第１差込金物５１及び第２差込金物６２の２つを有していたが、本発明の固定構造としては、第１差込金物５１及び第２差込金物６２の少なくとも１つを有していればよい。
【００８９】
本発明は、上記の実施形態に限るものではなく、種々の変形、変更、改良が可能である。例えば、上記に示した変形例は、適宜、複数を組み合わせて構成しても良い。
【符号の説明】
【００９０】
１０   固定構造
２０   受け金物（受け部材の一例）
５１   第１差込金物（差込部材の一例）
５３   差込部分
５５   接続部分
５７   固定部分
６２   第２差込金物（差込部材の一例）
６４   差込部分
６６   接続部分
６８   固定部分
１００ コーナー外壁
２００ 角柱（柱の一例）
２１０ 第１側面（側面の一例）
２２０ 第２側面（側面の一例）
Ｓ１   隙間
Ｓ２   隙間
【図１】
0006438318.tif 000002
【図２】
0006438318.tif 000003
【図３】
0006438318.tif 000004
【図４】
0006438318.tif 000005
【図５】
0006438318.tif 000006
【図６】
0006438318.tif 000007
【図７】
0006438318.tif 000008
【図８】
0006438318.tif 000009